(57)【要約】      （修正有）【課題】様々な種類のコネクタを一度に接続でき、外観の面でも問題が生じないコネクタ受け部構造の提供。【解決手段】複数のコネクタ部を有する装置のコネクタ部と接続できるコネクタ受け部を複数備え、複数のコネクタ受け部を収容するケース部の第１のスペースは、装置のコネクタ部を構成するコネクタのうちの最大の寸法のコネクタを収容できる大きさであり、各コネクタ受け部は前記第１のスペースの中央に設置され、コネクタ部とコネクタ受け部を接続する方向と垂直な二方向に可動であり、コネクタ受け部から出るケーブルを集約して前記ケース部から出す集約部を備え、コネクタ部の各コネクタは、第１のスペースと同じ大きさの第２のスペースを持ち、第２のスペース内の中央に設置され、コネクタ部とコネクタ受け部を構成するコネクタは、隣接するコネクタとの間に、接続作業が可能な間隔が開いているコネクタ接続構造を提供する。【選択図】図２
2019067727.tif 000002
【特許請求の範囲】
【請求項１】
複数のコネクタを備えたコネクタ部を有する装置の前記コネクタ部と接続できるコネクタ形状と端子を備えたコネクタ受け部を複数備え、前記複数のコネクタ受け部を収容するケース部とを備え、
前記各コネクタ受け部を収容する前記ケース部の第１のスペースは、前記装置の前記コネクタ部を構成するコネクタのうちの最大の寸法のコネクタを収容できる所定の大きさであり、前記各コネクタ受け部は前記第１のスペースの中央に設置され、
前記コネクタ受け部は前記第１のスペース内で、少なくとも、前記コネクタ部と前記コネクタ受け部を接続する方向と垂直な二方向に可動であり、
前記コネクタ受け部から前記コネクタ部と反対側に出てくるケーブルを集約して前記ケース部から出す集約部を備え、
前記コネクタ部の各コネクタは、前記第１のスペースと同じ大きさの第２のスペースを持ち、前記第２のスペース内の中央に設置され、
前記コネクタ部と前記コネクタ受け部を構成するコネクタは、隣接するコネクタとの間に、接続作業を可能にする間隔が開いている
ことを特徴とするコネクタ接続構造。
【請求項２】
前記コネクタ受け部は前記二方向に公差の範囲で可動である請求項１に記載のコネクタ接続構造。
【請求項３】
前記コネクタ受け部は前記二方向に加え、前記コネクタ部と前記コネクタ受け部を接続する方向にも可動である請求項１または２に記載のコネクタ接続構造。
【請求項４】
前記コネクタ受け部の周囲に固定部を設け、前記固定部と前記コネクタ受け部の間にバネを設けて前記コネクタ受け部を可動にする請求項１から３のいずれか一項に記載のコネクタ接続構造。
【請求項５】
前記コネクタ受け部の底部と前記ケース部の間にバネを設けて前記コネクタ受け部を可動にする請求項４に記載のコネクタ接続構造。
【請求項６】
前記コネクタ受け部の複数の隅にショルダーボルトを貫通させ、前記ショルダーボルトより大きい穴を設け、前記ショルダーボルトが前記ケース部に固定され、前記ショルダーボルトと前記穴にある隙間の分可動である請求項１から５のいずれか一項に記載のコネクタ接続構造。
【請求項７】
前記コネクタ受け部が、中継部と受け部に分離されている請求項１から６のいずれか一項に記載のコネクタ接続構造。
【請求項８】
前記コネクタ受け部内には、前記コネクタ受け部内の端子と前記ケーブルを接続する中継コネクタを備える請求項６に記載のコネクタ接続構造。
【請求項９】
前記装置の前記コネクタ部がない箇所では、電気的接続を行わないブランクのコネクタを設ける請求項１から７のいずれか一項に記載のコネクタ接続構造。
【発明の詳細な説明】
【技術分野】
【０００１】
本発明は、コネクタ接続構造に関する。
【背景技術】
【０００２】
屋外用の電子機器や装置は、一般的に壁やポールに設置される。この時、壁に設置金具を固定し、その後その設置金具に装置を固定する。装置固定後、装置のコネクタ部に複数のケーブルを接続する。ケーブルの種類は信号線、同軸ケーブル、光ケーブルと多様で接続方法もそれぞれ異なる。（図１２、図１３）
特許文献１にフローティングコネクタを用いたコネクタ取り付け構造が記載されている。これは、マザーボード２に上下方向に同種類の２つのフローティングコネクタ３，４を設置している。このフローティングコネクタ３，４にユニット側のコネクタ２６を接続するが、フローティングコネクタ３，４に対応して、角穴６’が２つ開けられた金具５を被せた後にコネクタ２６を接続している。金具５を被せることでフローティングコネクタ３，４が上下方向にしか動かないように制限している。金具５はフローティングコネクタ３，４が様々な方向に動くとコネクタ２６と嵌合できないので、それを防ぐものである。
【先行技術文献】
【特許文献】
【０００３】
【特許文献１】特開平９−３０６６１３号公報
【発明の概要】
【発明が解決しようとする課題】
【０００４】
図１２、図１３に示した装置の場合、装置を設置し運用するまでに、複数の作業が発生するため、時間がかかる課題があった。また、装置交換時も同様の時間を要す。作業を減らすために、コネクタを集約することも可能であるが、装置によっては、集約せずに各コネクタへアクセスしたいというユーザもあることから、各コネクタへのケーブル接続する機能をなくすことは困難という課題もあった。さらに、複数のケーブルが装置に固定されるため、外観(景観)の面で課題を有しており、ケーブル結束等に時間や技術を要する課題があった。また、図１４に示すようにケーブル接合部がむき出しとなるため、ケーブル脱落やいたずら防止の対策が別途必要であった。一般的にケーブルをテープで固定する手法がとられるが、高所作業においては作業者に負荷がかかる。外観対策として、ケーブル配線を隠すような部材を追加する対策もあるが、部材を追加で用意し、その部材を固定する方法を別途検討する必要がある課題があった。(図１５)
また特許文献１では、一般のフローティングコネクタと同じく、１つのコネクタ内の端子の位置の誤差をフローティングでカバーするものである。また同文献には「同種類の２つのフローティングコネクタ３，４」と明記しており、コネクタが複数種類あると対応できない。
【０００５】
本発明の目的は、以上述べた問題点を解決し、様々な種類のコネクタを一度に接続でき、外観の面でも問題が生じないコネクタ受け部構造を提供することである。
【課題を解決するための手段】
【０００６】
本発明は、複数のコネクタを備えたコネクタ部を有する装置の前記コネクタ部と接続できるコネクタ形状と端子を備えたコネクタ受け部を複数備え、前記複数のコネクタ受け部を収容するケース部とを備え、
前記各コネクタ受け部を収容する前記ケース部の第１のスペースは、前記装置のコネクタ部を構成するコネクタのうちの最大の寸法のコネクタを収容できる所定の大きさであり、前記各コネクタ受け部は前記第１のスペースの中央に設置され、
前記コネクタ受け部は前記第１のスペース内で、少なくとも、前記コネクタ部と前記コネクタ受け部を接続する方向と垂直な二方向に可動であり、
前記コネクタ受け部から前記コネクタ部と反対側に出てくるケーブルを集約して前記ケース部から出す集約部を備え、
前記コネクタ部の各コネクタは、前記第１のスペースと同じ大きさの第２のスペースを持ち、前記第２のスペース内の中央に設置され、
前記コネクタ部と前記コネクタ受け部を構成するコネクタは、隣接するコネクタとの間に、接続作業を可能にする間隔が開いている
ことを特徴とするコネクタ接続構造である。
【発明の効果】
【０００７】
本発明によれば、様々な種類のコネクタを一度に接続でき、外観の面でも問題が生じないコネクタ受け部構造を提供できる。
【図面の簡単な説明】
【０００８】
【図１】本発明の第１の実施形態のコネクタ接続構造を示す斜視図であり、（ａ）はコネクタ接続構造全体を示す図、（ｂ）はコネクタA-1〜A-Nを持つ電子装置Bを示す図、（ｃ）はコネクタA-1〜A-Nと電気的に接続するドッキングステーションCを示す図である。
【図２】本発明の第１の実施形態のドッキングステーションCの斜視図である。
【図３】本発明の第１の実施形態の、個々のコネクタA-1〜A-Nの間に設けた間隔Ｌ１を示す図である。
【図４】図２のドッキングステーションCを上方から見た平面図である。
【図５】本発明の第１の実施形態のドッキングステーションCを壁ないしはポールに取り付けた状態を示す図である。
【図６】本発明の第１の実施形態の電子装置BとドッキングステーションCの接続面を合わせ固定した状態を示す図である。
【図７】本発明の第２の実施形態のコネクタ接続構造を示す図で、（ａ）が上面図、（ｂ）が側面図である。
【図８】本発明のコネクタ接続構造の第３の実施形態を説明する図である。
【図９】本発明の他の実施形態を示す図である。
【図１０】本発明の第１の実施形態で、ねじ込んで固定する形式のコネクタ同士を電気的接続する方法を示す断面図である。
【図１１】本発明の他の実施形態で、コネクタ受け部とケーブルを分離した構造を示す図である。
【図１２】既存の屋外用の装置を説明する斜視図である。
【図１３】既存の屋外用の装置を説明する斜視図である。
【図１４】既存の装置でケーブル接合部が剥き出しになった状態を示す斜視図である。
【図１５】既存の装置でケーブル配線を隠す部材を設置した場合の斜視図である。
【発明を実施するための形態】
【０００９】
（第１の実施形態）
本発明のコネクタ接続構造の第１の実施形態を図１〜図６に示す。
【００１０】
図１はコネクタ接続構造を示す斜視図であり、（ａ）はコネクタ接続構造全体を示す図、（ｂ）はコネクタA-1〜A-Nを持つ電子装置Bを示す図、（ｃ）はコネクタA-1〜A-Nと電気的に接続するドッキングステーションCを示す図である。
【００１１】
電子装置BはコネクタA-1〜A-N(数は任意、N個のコネクタを総称するときは以下コネクタ部Aと称する)でドッキングステーションCと接続する。コネクタ部Aを構成する個々のコネクタA-1〜A-Nは通常のコネクタで良い。つまり通信用（モジュラープラグ・ジャック、RS232-C、LAN端子等）、コンピュータ用（USB、IEEE1394等）、電源用コネクタ、ディスプレイ接続用コネクタ、同軸（BNC等）、光コネクタ等で用いる既製品を使うことができる。
【００１２】
図２はドッキングステーションCの斜視図である。ドッキングステーションCは、個々のコネクタA-1〜A-Nとそれぞれ電気的に接続するコネクタ受け部E-1〜E-N(数は任意、以下コネクタ中継部Eと総称する)を持つ。図２ではコネクタ受け部E-K、E-K+1の２つを示している。個々のコネクタ受け部を構成する個々のコネクタは、既製品を使うか、一部改造して使うことができる。コネクタA-1がオス型端子であれば、それを受けるコネクタ受け部E-1のコネクタ端子はこのオス型端子と嵌合して電気的に接続できるメス型端子である。コネクタ受け部の個数はコネクタ部Aと同数である。電子装置Bとコネクタ受け部はそれぞれオスとそれを受けるメスになっていて、電子装置B側のコネクタ形状がオスであればコネクタ受け部はメス、逆に電子装置B側がメスであればコネクタ受け部はオスという関係である。コネクタ部Aがオスメス混在であれば、コネクタ受け部はそれに対応したメスオス混在にする。
【００１３】
コネクタ中継部Eはケース部Fに固定されてドッキングステーションCを構成する。ケース部Fは断面がコの字形の金属ケースで、２枚の側板２０１と底板２０３でコの字を形成し、上方つまりコネクタ部Aと接続する側を空ける。図２では手前の側板２０１で隠れている部分を透過して示している。
【００１４】
個々のコネクタ受け部E-1〜E-Nの外壁にバネ２０５を４つ設け、底面にバネ２０６を１つ設ける。バネ２０５、２０６は図２ではコネクタ受け部E-K+1には全て表示し、コネクタ受け部E-Kには一部だけ表示している。実際にはコネクタ受け部E-Kにもバネを５つ設ける。
【００１５】
バネ２０５，２０６は個々のコネクタ受け部E-1〜E-Nの外壁に設ける。バネの一端を固定する（引っかける）ための固定部２０７を固定板２０９に設ける。固定部２０７は、バネ２０５，２０６の一端を固定する場所に凸部を設け、その凸部内に凹部を設けておく。またコネクタ受け部E-1〜E-Nの外壁を彫るなどして、バネ２０５，２０６の他端を固定するための凹部を設ける。なお本実施形態では固定板２０９は両端がケース部Fの側板２０１と接続しており、実質的にはケース部Fとコネクタ中継部Eは一体になっている。また固定板２０９は側板２０１よりも高さを低くして作業をしやすくしている。またケーブルH-k、H-K+1を底板２０３方向に出し、後述する集約部Gに向かって底板上を這わせるために、固定板２０９は底板２０３までは達しておらず、ケーブルH（複数のケーブルH-1〜H-Nを総称する場合、ケーブルHと記述する）が通る空間ｄを確保している。
【００１６】
個々のコネクタA-1〜A-Nはコネクタを絞めたり、押し込んだりしてオスメスの端子を接触させて電気的接続を取るため、隣接するコネクタとの間に、手や工具等を入れて接続作業を行うための間隔Ｌ１を設ける。図３は個々のコネクタA-1〜A-Nの間に設けた間隔Ｌ１を示している。間隔Ｌ１は手や工具を入れて接続作業を行う隙間であるので、複数のコネクタ受け部及びコネクタ部Aの間で同じで良いが、異なっていてもよい。コネクタ部Aでも各コネクタ３０１，３０２、３０３はコネクタ受け部と同じく、サイズＬ２×Ｌ３のスペースSを持つ。なおＬ１はＬ２，Ｌ３よりずっと大きい。
【００１７】
一つのコネクタ受け部E-K（K=1〜N）を囲う２枚の固定板２０９の間の寸法Ｌ２及びケース部Fの２つの側板間の寸法Ｌ３は全てのコネクタ受け部E-1〜E-Nで同じにする。つまりコネクタ受け部E-1〜E-Nを収容するスペースS（第１のスペース）の形状、寸法を全て同じにする。スペースは、コネクタ受け部の接続相手であるコネクタA-1〜A-Nとして想定されるうちの最も大きいコネクタのサイズに合わせて決める。図２の場合はＬ２×Ｌ３の矩形である。この矩形は正方形（Ｌ２＝Ｌ３）でも長方形（Ｌ２≠Ｌ３）でもよい。各コネクタ受け部はこの一定形状のスペースの中央に設置する。つまり各コネクタ受け部の中央をスペースの中央と一致させ、接続しようとするコネクタ部Aの向きに合わせて設置する。一方コネクタ部Aの各コネクタは、各コネクタ受け部を収容する第１のスペースと同じ大きさの第２のスペースを持ち、第２のスペース内の中央に設置する。つまり各コネクタ受け部の中央をスペースの中央と一致させて設置する。このようにすると、複数のコネクタで構成されたコネクタ部Aとコネクタ中継部Eを一度に接続できる。製造時の公差があるため、コネクタ部Aとコネクタ受け部を構成するコネクタの位置がずれることがあるが、上述のバネがあるため、コネクタ受け部が公差の範囲内で動き、接続が可能になる。
【００１８】
図４は図２のドッキングステーションCを上方から見た平面図である。コネクタ受け部E-K、E-K+1だけを示している。２つのコネクタ受け部の形式が異なるため、スペースS内のコネクタと側板、コネクタと固定板との間隔（Ｌ４、Ｌ４’）は異なる。そのため、バネ２０５，２０６の長さを調整してコネクタがスペースSの中央に位置するように設定する。なおスペースSの形状とコネクタ受け部の形状が両方とも正方形あるいは円形でない限り、一つのコネクタ受け部内の４つのＬ４（Ｌ４’）は同じにならないが、図４では簡略化して全て同じ表記Ｌ４、Ｌ４’にしている。
【００１９】
次にケーブルHについて述べる。太いケーブルは曲げるのに大きい曲率が必要で、細いケーブルは小さい曲率で済む。そのためコネクタ受け部の種類によってその底部とケース部Fの底面の間の距離が異なる。そこで大きい曲率が必要なコネクタ受け部に使うバネは背を高くし、小さい曲率で済むコネクタ受け部に使うバネは背を低くする。これに加えて、コネクタ部Aとコネクタ受け部E-1〜E-Nの長さ（高さ）は種類によって異なるので、コネクタ受け部E-1〜E-Nから見たコネクタA-1〜A-Nの長さ（高さ）が異なる。そのためバネの高さを調整してコネクタ受け部E-1〜E-Nの高さをコネクタ部Aの高さに合わせた高さにして、確実に電気的接続が取れるようにする。
【００２０】
コネクタ中継部Eを、コネクタ部Aの位置に対応するよう個々のスペースS内に配置する。ケーブルHはケース部Fの集約部Gを通しておく。ドッキングステーションCを壁かポールに取り付ける。そのあとパッキンDを間に挟み、電子装置Bのコネクタ部Aをコネクタ中継部Eと接続する。
【００２１】
コネクタ部Aは多種類を想定している。例えば、コネクタにねじ山が切っており、コネクタ接続に複数回ねじ込んで固定をするものもあれば、コネクタに対して押し込んで接続するものもある。なおコネクタ部Aの構造、形状は既存のものと変わらない。そのためドッキングステーションCを使わない場合には、通常の方法でケーブルをコネクタ部Aに接続すればよく、様々なユーザの要求に対応できる。
【００２２】
各コネクタ受け部からは対応するケーブルH-1〜H-N(数は任意)が固定されており、そのケーブルHが集約部Gから纏めて外に出る構造である。各ケーブルHは独立しており、対応するコネクタ受け部を取り外すと、ケーブルHも抜ける構造である。図１では集約部は円筒形（断面が円形）であるが、ケーブル数が多い場合は、断面を広げて陸上のトラックのような形状にしてもよい。更に集約部Gを設けた面をなくし、その面を開口にして、ケース部Fからケーブルを出す作業をしやすくしてもよい。このような開口も集約部Gと呼ぶ。
【００２３】
コネクタ部Aは多様なものを想定しており、各コネクタで締め付け方法が異なる。本実施形態では、ねじ込んで固定する形式のコネクタはねじ込みが困難である。そのため機構的に固定するのではなく、コネクタ中継部Eとコネクタ部Aが電気的に接触することで、電気的機能を満足させる。図１０に示すように、例えば一方のコネクタ１０００の外径が他方のコネクタ１００１より小さければ、接続したい線(中心導体１００２)同士が接触すれば電気的接続が可能である。
【００２４】
但し、この方法の場合、ネジ山１００４ねじ込みを行っていないため、コネクタの防水性は、損なわれる。パッキンDで補填する。
（動作の説明）
ドッキングステーションCのコネクタ中継部Eを電子装置Bのコネクタ部Aの位置に対応するように配置する。具体的には、コネクタ受け部E-1〜E-Nを、対向するコネクタA-1〜A-Nに接続できる種類のものを用意する。コネクタ受け部E-1〜E-NにはそれぞれケーブルH-1〜H-Nがコネクタ部Aと反対側に一体として接続されている。まず底板のバネの端を底板の固定部に嵌めておき、その後、一つのコネクタ受け部E-KのケーブルH-Kをバネ２０６の中央の空間に挿入し、ケーブルHがバネ２０６の中を抜けたらケース部Fの底板に這わせ、ケーブルの反対側を集約部Gから出す。径が大きなバネ、例えばコネクタ中継部Eの底の径と同程度のものを使うとケーブルを通しやすい。またケーブルはバネ２０６とケース部Fの底板との間から集約部Gに向かって引き出すが、底板に嵌めたバネ２０６の端からバネの巻き始めまでの距離を長く取っておくと、ケーブルが引き出しやすい。
【００２５】
この後、ケーブルとつながっているコネクタ受け部E-1〜E-Nをケース部Fの側板の間に挿入し、４つのバネの端を側板の凹部に嵌め込む。この作業を、残りのN-１個のコネクタ受け部について同様に行う。その後、ケース部Fの集約部Gの反対側に設けた取り付け金具（不図示）で、図５に示すように、ドッキングステーションCを壁ないしはポールに取り付ける。
【００２６】
次に上から電子装置Bを固定するが、図６に示すように、矩形のリング形状のパッキンDを間に挟んで電子装置BとドッキングステーションCの接続面を合わせ、気密性を確保するため、パッキンDを十分潰して固定する。電子装置BとドッキングステーションCにねじ部やフック等を設けておき（不図示）、互いに十分に固定する。この固定作業が完了すると同時に、電子装置Bのコネクタ部Aとコネクタ中継部Eの接続も完了する。
【００２７】
上述のように各コネクタ受け部はバネによって動くことができる。そのため、固定作業でドッキングステーションCに電子装置Bの重量がかかると、コネクタ中継部Eとコネクタ部Aのオスメスの端子が嵌る位置に動くことができ、複数のコネクタ間の電気的接続を簡便に取る事ができる。コネクタ部Aには様々な形式のコネクタが使われる。しかし本実施形態では、一つのコネクタ受け部E-Kを収納するスペースは、全て同じ形状である。つまりスペースの縦横のサイズが同じであり、そのため上方から見るとケース部Fは固定板で同じ形状に区分されている。その結果、コネクタ部Aを構成する個々のコネクタA-1〜A-Nの組合せが種々入れ替わっても、コネクタ中継部Eに接続できる。
【００２８】
コネクタを手で絞める際にコネクタ間に空間（上述のＬ１）を確保する構造が一般的であり、その空間に比べてコネクタの種類による差異（間隔Ｌ４とＬ４’の相違）はわずかで、１０ｍｍ以下である。
【００２９】
小さなコネクタであればコネクタ部Aと接続するために必要な移動距離も小さいので、仮に個々のコネクタ受け部の寸法と形状に合わせてスペースSの寸法を最適に設定すれば、コネクタ中継部Eの長さは小さくできる。しかしその場合コネクタ部Aの種類が変わる毎にスペースSを設定し直す必要がある。つまり個々のコネクタ受け部を固定する場所をコネクタ部Aの種類毎に変更する必要があり、非常に煩雑である。一方本実施形態のように、スペースSをコネクタ部Aで使われるコネクタのうち最大形状のものに合わせておけば、コネクタ部Aに使われるコネクタが変わっても、スペースSを変更する必要がなく、汎用性がある。
（効果の説明）
本実施形態では、ドッキングステーションにコネクタ受け部を集約し、しかも可動にすることで、多様な接続方法のケーブルを一度に接続できる。そのため装置設置や交換時に要する時間を短縮でき、設置も容易となる。
【００３０】
また、ケーブルを集約できるので、外観対策の部材も不要で、電子装置をドッキングステーションから取り外すことで容易に各コネクタにアクセスできる。さらに、電子装置の設置が容易になるため高所作業時においても負荷がかからない。
【００３１】
なおコストや客先要望によっては、既存の、各コネクタにケーブルを個々に接続する構造からの変更を希望しないケースもあり得る。本実施形態はコネクタ部Aを構成する個々のコネクタA-1〜A-Nの寸法、形状を変えるものではないので、本実施形態のコネクタ受け部接続構造を用いない場合においても、コネクタ部Aの各コネクタに個々にケーブルを接続することができる。
（第２の実施形態）
図７は本発明の第２の実施形態のコネクタ接続構造を示す図で、（ａ）が上面図、（ｂ）が側面図である。本実施形態が第１の実施形態と異なるのは、コネクタ受け部E-Kをケース部Fに固定するのにショルダーボルト７０１を使う点である。コネクタ受け部を構成するコネクタ部分は既製品またはその一部を改造したものを使うことができる。本実施形態では第１の実施形態の固定板は不要である。
【００３２】
コネクタ受け部E-K本体の対角線上の隅に二か所ショルダーボルト７０１を通す穴を開ける。その２つの穴にショルダーボルトを通す。またバネ７０６を固定した座板７０２のネジ穴にショルダーボルトの先端のネジをネジ止めし、その座板７０２をさらにケース部Fの底板２０３に固定する。は、ショルダーボルト７０１とそれを通す２つの穴７０４の間の隙間の分だけ底板２０３と水平な方向に動かすことができる。また底板２０３に垂直な方向はバネ７０６が伸縮する分だけ動かすことができる。
【００３３】
またコネクタ部Aとコネクタ受け部E-1〜E-Nの長さ（高さ）は種類によって異なるので、コネクタ受け部E-1〜E-Nから見たコネクタA-1〜A-Nの長さ（高さ）が異なる。そのため座板７０２のバネの高さを調整してコネクタ受け部E-1〜E-Nの高さをコネクタ部Aに高さに合わせた高さにする。
【００３４】
またケース部Fの底板には別部材をこの２つの穴以外にもいくつか開けておいて、種類の異なるコネクタ受け部に対応できるようにする。
【００３５】
またケース部Fの集約部を通してケーブルHをコネクタ中継部Eと接続し、コネクタ中継部Eのショルダーボルトをケース部Fのネジ穴にねじ込んで固定する。ドッキングステーションCを壁かポールに取り付ける。そのあとパッキンDを間に挟み、電子装置Bのコネクタ部Aをコネクタ中継部Eと接続する。
【００３６】
またコネクタ受け部を構成するコネクタは、一般的には高さ方向の公差を吸収できるので、その範囲内であればバネ性が不要になる。
（第３の実施形態）
図８は本発明のコネクタ接続構造の第３の実施形態を説明する図である。
【００３７】
装置８００は複数のコネクタ８０１を備えたコネクタ部AAを有する。ドッキングステーションCには、コネクタ部AAと接続できるコネクタ形状と端子を備えた複数のコネクタ受け部E-K,E-K+1、・・・を備え、また複数のコネクタ受け部を収容するケース部Fを備えている。
【００３８】
各コネクタ受け部E-K,E-K+1、・・・を収容するケース部Fの第１のスペースS1は、装置８００のコネクタ部AAを構成するコネクタ８０１のうちの最大の寸法のコネクタを収容できる所定の大きさである。各コネクタ受け部Eは第１のスペースSの中央に設置され、コネクタ受け部は第１のスペースS1内で、少なくとも、コネクタ部AAとコネクタ受け部E-K,E-K+1、・・・を接続する方向と垂直な二方向に可動である。可動にするためにコネクタ受け部と接続した可動部８５０を設ける。またコネクタ受け部E-K,E-K+1、・・・からコネクタ部AAと反対側に出てくるケーブルHを集約してケース部Fから出す集約部Gを備えている。コネクタ部AAの各コネクタ８０１は、第１のスペースS1と同じ大きさの第２のスペースS2を持ち、第２のスペースS2内の中央に設置される。さらにコネクタ部AAとコネクタ受け部E-K,E-K+1、・・・を構成するコネクタは、隣接するコネクタとの間に、接続作業を可能にする間隔Ｌ１が開いている。
【００３９】
ドッキングステーションにコネクタ受け部を集約し、しかも可動にすることで、多様な接続方法のケーブルを一度に接続できる。そのため装置設置や交換時に要する時間を短縮でき、設置も容易となる。また、ケーブルを集約できるので、外観対策の部材も不要になる。
（他の実施形態）
第１の実施形態ではコネクタ中継部Eのバネ２０６は中央にケーブルを通すよう径が大きなものを使うとよいと述べた。しかし図９の側面図に示すように、径の小さいバネ９０６を、コネクタ受け部E-Kの底の隅に複数（図９では４つ）設けて中央に空間が空いているようにすることもできる。この場合はバネの数は多くなるが、中央にケーブルを通す空間をより大きく確保できる。
【００４０】
またコネクタ部Aがない箇所においては、対応するコネクタ中継部Eは不要となる。しかし接続機能がなく外形が他のコネクタ中継部Eと同じ部材（コネクタ、バネ、側板）を作成してその箇所に設置しておく（ブランクカード）ことも可能である。
【００４１】
また上述の実施形態ではコネクタ受け部はケーブルHと一体になっているが、分離した構造でもよい。つまり図１１に示すように、コネクタ受け部E-Kのケーブル側にコネクタ部A側と同じくオスまたはメスの端子１１００を設けた構造にし、それと嵌合するメスまたはオスの端子１１０３をケーブル端部１１０５に設ける。この場合バネ１１０６はケーブル端部に設けると良い。
【００４２】
また第１の実施形態では固定板２０９の両端が側板２０１に固定されていてドッキングステーションCの強度を向上させているが、固定板は必ずしも側板に達するまで延ばす必要はなく、固定板と側板の間に隙間があってもよい。ただしその場合は底板につなげておく。固定板は最低限バネを固定するのに必要な箇所にだけあればよい。
【００４３】
また上述の実施形態ではコネクタ中継部Eはケース部Fの長さ方向に一列だけ設けているが、もう一列設けて並列に配列することもできる。
【００４４】
また上述の実施形態ではコネクタ部Aを設ける装置を電子装置としたが、光装置でもよいことは明らかである。
【産業上の利用可能性】
【００４５】
本発明は、屋内、屋外に設置されるコネクタを具備している装置全般に用いることができる
【符号の説明】
【００４６】
A    コネクタ
B    電子装置
C    ドッキングステーション
D    パッキン
E    コネクタ中継部
E-1〜E-N    コネクタ受け部
F    ケース部
２０１    側板
２０３    底板
２０５，２０６，７０６，９０６    バネ
２０７    固定部
２０９    固定板
７０１    ショルダーボルト
７０２    座板
７０４    穴
【図１】
2019067727.tif 000003
【図２】
2019067727.tif 000004
【図３】
2019067727.tif 000005
【図４】
2019067727.tif 000006
【図５】
2019067727.tif 000007
【図６】
2019067727.tif 000008
【図７】
2019067727.tif 000009
【図８】
2019067727.tif 000010
【図９】
2019067727.tif 000011
【図１０】
2019067727.tif 000012
【図１１】
2019067727.tif 000013
【図１２】
2019067727.tif 000014
【図１３】
2019067727.tif 000015
【図１４】
2019067727.tif 000016
【図１５】
2019067727.tif 000017